(57)【要約】【課題】  写真などで大きさを把握するための目安となるよう煙草のケース等を一緒に撮り後に画面上で対比することでおおよその寸法を計測していた。【解決手段】  正対した被写体が平面と仮定し、その被写体の大きさが被写体面寸法（Ｙ）＝結像面寸法（Ｘ）×（被写体間寸法（Ｔ）÷結像主点間寸法（ｂ）−１）のＹ＝Ｘ（Ｔ÷ｂ−１）の式で分かることから計算結果を表示するようにすることで長さが分かり、画像内にある焦点の合っている測りたい物体の始点と終点に任意により点を合わせることで画像内の目印の各点間の寸法を対比計算することで被写体寸法を割り出すことができ、自動認識により画像内で線、角度等を認識し座標を設け各距離を割出すことができ又、これらの画像による座標確認を面積計測用のソフトに組込むことで作図作業が不要になる。【選択図】図１
2012002791.tif 000002
【特許請求の範囲】
【請求項１】
画角率情報と結像面寸法情報と被写体との距離情報をもとに、映像画面に映る被写体の任意なる方向の寸法を割り出す演算機能を具備し、該演算結果を任意の数値単位により任意の場所に表示する手段を持つ被写体計測方法。
【請求項２】
被写体が結像面と正対する面と仮定し、画角率情報と結像面寸法情報と該被写体との距離情報をもとに、映像画面に映る被写体の任意なる方向の寸法を割り出す演算機能を具備し、該演算結果を任意の数値単位により任意の場所に表示する手段を持つことを特徴とする請求項１における被写体計測方法。
【請求項３】
撮影装置に被写体が結像面と正対する面と仮定し、該被写体との距離計測機能を具備し、画角率情報と結像面寸法と該被写体との距離情報をもとに、映像画面に映る被写体の任意なる方向の寸法を割り出す演算機能を具備し、該演算結果を任意の数値単位により任意の場所に表示する手段を持つことを特徴とする請求項１における被写体計測方法。
【請求項４】
請求項１、請求項２、請求項３により把握している被写体寸法の情報をもとに、映像画面内に任意の方法で任意の位置に２点以上の指標点を設け、各指標点を結ぶ線の距離を映像画面の寸法と対比し該被写体寸法情報から該対比率を掛けることで各指標点間の距離を計測する演算機能を具備し、該演算結果を任意の数値単位により任意の場所に表示する手段を持つ被写体計測方法。
【請求項５】
任意の入力方法により請求項４の指標点に任意の形状と拡大率で表示する被写体計測方法。
【請求項６】
面積計測ソフトに請求項１、請求項２、請求項３により得た被写体寸法情報を具備する画像を取込み該画像の任意の数による任意の位置に座標を指定し該座標の位置差に被写体寸法情報の具体的数値を代入し、面積などを計測する被写体計測方法。
【請求項７】
請求項１、請求項２、請求項３、請求項６の撮影装置または面積計測ソフトの映像画面内で任意による形状を画像内で検索し、該検索した形状の上に任意による表示方法で表示し、該表示に任意の場所に点を設け、該点を座標とし該座標差を被写体寸法情報の数値に置き換え表示する被写体計測方法。
【発明の詳細な説明】
【技術分野】
【０００１】  本発明は被写体との距離測定による情報と画角率情報と結像面情報を演算し表示する機能を有する撮影装置および面積計測ソフト使用における被写体計測方法に関するものである。
【背景技術】
【０００２】  従来、計測対象物に定規、巻尺等を押し当て、該計測対象物内の始点から終点にかけ、該定規、巻尺等の占める範囲の目盛り分を読み取ったり、計測対象物の始点から終点にかけ定規、巻尺等を添わせることで長さを対比し計測していたし又、上記行為を撮影することにより計測結果を記録していた。【０００３】  コンピュータの面積測定ソフトで図表や座標から線、面積、角度などを計測していた。
【発明の概要】
【発明が解決しようとする課題】
【０００４】  定規、巻尺等を使用して計測対象物を計測する場合、該計測対象物の始点から終点までが平面でないと計測するのが困難であったし、計測対象物に定規、巻尺等を添わせて計測する場合などは該計測対象物の形状が円とか個体の対角線上を計測するなど、該定規、巻尺等を計測する始点と終点の近くに直線的に添わせて対比することが困難であったし、上記行為を撮影して記録するには定規、巻尺等と一緒に撮影しなければならなかった。【０００５】  コンピュータの面積計測ソフトで面積計測するには対象物の距離測定値を事前に把握し図表を作成していた。
【課題を解決するための手段】
【０００６】  撮影装置において、被写体の像が映るフイルム面やＣＣＤ撮像素子面を結像面とし、該結像面から主点までの距離を結像主点間寸法（ｂ）と称し、記号として“ｂ”と表記し、該結像主点間寸法（ｂ）の数値情報と、被写体を結像面と正対した平面と仮定し被写体面と称し、該被写体面から結像面までの距離を被写体間寸法（Ｔ）と称し、記号として“Ｔ”と表記し、該被写体面寸法（Ｙ）の数値情報が確認できることから、結像面の大きさを基準に該結像主点間寸法（ｂ）と該被写体間寸法（Ｔ）の数値情報から、結像面に投影される像がそのまま反映されることを前提としたモニタ又はファインダに映し出される映像面を画面（１１）と称し、被写体面内の一方向の寸法を被写体面寸法（Ｙ）と称し、記号として“Ｙ”と表記し、画面（１１）に映る被写体面寸法（Ｙ）を演算により把握し、該演算結果を表示するよう数値表示部（３１）を該撮影装置に具備する。【０００７】  画面（１１）内に、左右の端に接しない平行する２本の線で該２本の線の中間に被写体の映像を確認できる空間が確保された任意の位置に設けられているか、位置変更の入力情報により該２本の線を任意の位置に移動可能な状態で画面（１１）と該空間の対比率が認識できる機能を具備し、０００６の演算結果に該対比率を掛けた演算結果を表示するよう数値表示部（３１）を該撮影装置に具備する。【０００８】  ０００６と０００７のデジタルズームが可能な撮影装置の画面（１１）に左右方向に任意の形状割合で分割し、該分割された線から位置変更の入力情報により左右の端の線上まで任意により選択した各点を基点としデジタルズームする機能を該撮影装置に具備する。【０００９】  面積計測ソフトに映像を取込み、該映像内で特定の位置を指定し、該位置を座標数値に変換し、該各座標位置の誤差数値に、０００６の被写体面寸法（Ｙ）画像情報の数値に割当ることにより実寸の大きさの線、面積、角度などが演算でき、該演算結果を任意の数値に変え表示する。【００１０】  ００１４の撮影装置、０００９の面積計測ソフトに画像内で任意による形状を検索し、該検索結果に応じて画面（１１）内に位置を表示し、該位置関係を０００７または０００９の演算を実施し該演算結果を任意の数値に変え表示する。
【発明の効果】
【００１１】イ）  被写体面から主点までの距離を被写体主点間寸法（ｗ）と称し、記号として“ｗ”と表記する。
ロ）  被写体面が投影される面を結像面とし、該結像面内の一方向の寸法を結像面寸法（Ｘ）と称し、記号として“Ｘ”と表記する。
ハ）  結像面寸法（Ｘ）は結像面の横方向の寸法を基準とし、被写体面寸法（Ｙ）の寸法方向も該結像面寸法（Ｘ）と同方向の寸法になる。【００１２】イ）  撮影の原理として実像と該実像から主点までの距離と実像が投影されている像と該象から主点までの距離が比例することから、被写体面寸法（Ｙ）÷被写体主点間寸法（ｗ）＝結像面寸法（Ｘ）÷結像主点間寸法（ｂ）の関係が成立し、記号で表すＹ÷ｗ＝Ｘ÷ｂの式になる。
ロ）  被写体間寸法（Ｔ）は被写体主点間寸法（ｗ）と結像主点間寸法（ｂ）の合計からなり、記号で表すＴ＝ｗ＋ｂの式になる。【００１３】  ００１２のイ）のＹ÷ｗ＝Ｘ÷ｂと、００１２のロ）のＴ＝ｗ＋ｂの式から被写体面寸法（Ｙ）を割り出す式として、被写体面寸法（Ｙ）＝結像面寸法（Ｘ）×（被写体間寸法（Ｔ）÷結像主点間寸法（ｂ）−１）が成立し、記号で表すＹ＝Ｘ（Ｔ÷ｂ−１）の式になる。【００１４】  画面（１１）の左端を画面左端（１２）、右端を画面右端（１３）と称し、画面（１１）の中心方向に焦点が合うよう設定されている撮影装置と、該撮影装置の結像主点間寸法（ｂ）の変化による画角調整可能な撮影装置と該撮影装置にデジタルズームによる画角調整可能な撮影装置等に結像主点間寸法（ｂ）及び、画面（１１）に映る像をデジタルズームにより変化させた倍率を結像面倍率（Ａ）と称し、記号として“Ａ”と表記し、該結像面倍率（Ａ）により変化した画面（１１）に映る像を拡大画面寸法（ＸＡ）と称し、記号として“ＸＡ”と表記した各数値情報が確認できる機能を各撮影装置に具備する。【００１５】  ００１４の撮影装置に被写体面に焦点が合うことによる被写体間寸法（Ｔ）を計測する機能と該計測数値情報を確認できる機能を具備する。【００１６】  ００１４の撮影装置に被写体面から結像面までの被写体面寸法（Ｙ）を計測する機能と該計測数値情報を確認できる機能を具備する。【００１７】  座標の位置関係を演算し、面積を割り出す面積演算ソフトに、画像情報に被写体間寸法（Ｔ）、結像面寸法（Ｘ）及び結像面倍率（Ａ）、結像主点間寸法（ｂ）情報を認識させ該画像情報の画面（１１）上で指定する座標位置関係を演算する機能を具備する。【００１８】  ００１４の撮影装置の結像主点間寸法（ｂ）数値と、結像面寸法（Ｘ）数値又は、デジタルズームにより画角率が変化し倍率調整された結像面寸法（Ｘ）数値と、００１５、００１６等により得た被写体間寸法（Ｔ）の数値をもとに演算する機能と、該演算結果を、該撮影装置に表示機能を具備する。【００１９】  画面（１１）の左側に画面左端（１２）に接しない平行する線を左指標線（４２）と称し、右側に画面右端（１３）に接しない平行する線を右指標線（４３）と称し、左指標線（４２）から右指標線（４３）の間隔を計測空間寸法（Ｚ）と称し、記号として“Ｚ”と表記し、画面（１１）の寸法を画面全体寸法（ｘ）と称し、記号として“ｘ”と表記する。【００２０】  画面全体寸法（ｘ）内の計測空間寸法（Ｚ）が占める占有率を画面占有率（ａ）と称し、記号として“ａ”と表記し、式でＺ÷ｘ＝ａの関係になる。【００２１】  図１は壁のような平面に１ミリ刻みの目盛で６０センチ分の定規（２１）を設置し、該定規（２１）に正対した状態で００１４の撮影装置を３０．８センチ離れた位置、即ち３０８ミリの被写体間寸法（Ｔ）で撮影すると、画面（１１）に定規（２１）内の１２センチ目の目盛りが画面左端（１２）の部分に、４８センチ目の目盛りが画面右端（１３）の部分に確認でき、画面（１１）に３６センチ分の目盛りが映し出されている。【００２２】  図１の数値表示部（３１）は００１３のＹ＝Ｘ（Ｔ÷ｂ−１）の式のもとに００１８の結像主点間寸法（ｂ）数値と、結像面寸法（Ｘ）数値と被写体間寸法（Ｔ）の数値情報をもとに、演算された数値をセンチ表記で画面（１１）内に表示したもので被写体間寸法（Ｔ）情報の変化に応じて数値が変更する。【００２３】  図２は００２１と同じ状況から画面（１１）の横方向に１２等分した左側１等分の右端線上に左指標線（４２）の右側が接するよう画面上に設けられていて、反対の右側１等分の左端線上に右指標線（４３）の左側が接するよう画面上に設けられていて、定規（２１）内の１５センチ目の目盛りが左指標線（４２）部分に、３９センチ目の目盛りが右指標線（４３）部分に確認でき、左指標線（４２）から右指標線（４３）までに３０センチ分の目盛りが映し出されている。【００２４】図２は左指標線（４２）から右指標線（４３）までが００２３で画面（１１）を１２等分した両側の２等分を差し引いた１２等分の１０等分で５／６（６分の５）になり、該５／６（６分の５）が左指標線（４２）から右指標線（４３）までが計測空間寸法（Ｚ）になり該計測空間寸法（Ｚ）から面全体寸法（ｘ）割って画面占有率（ａ）を割り出す式がａ＝Ｚ÷ｘ
となり、被写体面寸法（Ｙ）に画面占有率（ａ）を掛けて割り出した数値を被写体面内率寸法（ｙ）と称し、記号として“ｙ”と表記し、式がｙ＝ａＸ（Ｔ÷ｂ−１）になり演算により割り出すことが出来る。【００２５】  図２の数値表示部（３１）は被写体間寸法（Ｔ）の情報をもとに、００２４で演算された数値をセンチ表記で画面（１１）内に表示したもので被写体間寸法（Ｔ）情報の変化に対応し数値が変更する。【００２６】  図３のＹ１、Ｙ２、Ｙ３は結像面体（Ｘｎ）から各距離を隔てた同じ定規（２１）で“Ｙｎ”と称し、Ｔ１、Ｔ２、Ｔ３が該定規（２１）から結像面体（Ｘｎ）までの各距離を示した被写体間寸法（Ｔ）で“Ｔｎ”と称し、ｗ１、ｗ２、ｗ３が各定規（２１）から主点（Ｐ）までの各距離を示した被写体主点間寸法（ｗ）で“ｗｎ”と称し、ｂ１、ｂ２、ｂ３が各主点（Ｐ）から結像面体（Ｘｎ）までの距離を示した結像主点間寸法（ｂ）で“ｂｎ”と称し、被写体の像が反映する結像面体（Ｘｎ）を起点とし、定規（２１）との画角と距離関係を表した図である。【００２７】  図４は位置変更の入力情報により左指標線（４２）と右指標線（４３）が画面（１１）の両端から中心内で対比するかたちで移動するよう設定されていて、左指標線（４２）と右指標線（４３）が図２の位置から中央に向け、１／６（６分の１）移動した状態で、画面（１１）では両端から１／４（４分の１）分移動したところにあり、定規（２１）内の２１センチ目の目盛りが左指標線（４２）部分に、３９センチ目の目盛りが右指標線（４３）部分に確認でき、左指標線（４２）から右指標線（４３）までに１８センチ分の目盛りが映し出されている。【００２８】  図４は００２７で示したように図２の左指標線（４２）が中央に向け、１／６（６分の１）移動し左指標線（６２）になり、右指標線（４３）が中央に向け、１／６（６分の１）移動し右指標線（６３）になり、該左指標線（６２）から右指標線（６３）までが計測空間寸法（Ｚ）になり該計測空間寸法（Ｚ）から面全体寸法（ｘ）割って画面占有率（ａ）を割り出す式がａ＝Ｚ÷ｘになりｙ＝ａＸ（Ｔ÷ｂ−１）の演算により被写体面寸法（Ｙ）を割り出すことが出来き、該数値を数値表示部（３１）にセンチで表示している。【００２９】  図５は００１４のデジタルズーム可能な撮影装置に画面（１１）に送られている結像面からの画像情報を位置変更の入力情報により指定された倍率になるよう画面縦中央線（１４）を基準に分割し、左側面の中心に左指標点（５２）を移動し、右側面の中心に右指標点（５３）を移動し、各中心点を基点として指定された倍率になるよう同時にデジタルズームする機能が具備されていて該デジタルズーム機能を実施後の図で横指標線（４４）は左指標点（５２）と右指標点（５３）の各点が確認できるよう表示されている。【００３０】  図６は被写体間寸法（Ｔ）情報と結像主点間寸法（ｂ）情報と結像面寸法（Ｘ）情報が把握できる家屋映像で、該各情報をもとに拡大座標点（７１）を０Ｘ，０Ｙの基点座標とし円方向に拡大表示し、該拡大座標点（７１）と同じように拡大座標点（７２）を拡大表示し座標を特定し０Ｘ，１Ｙの座標を取得し、該拡大座標点（７２）と同じょうに拡大座標点（７３）を拡大表示し座標を特定し１Ｘ，２Ｙの座標を取得している図で、座標点（７４）を特定し２Ｘ，１Ｙの座標と座標点（７５）を特定し２Ｘ，０Ｙの座標を取得しようとする図である。【００３１】  図７は画像内に在る縦方向に並行して存在する直線を自動認識機能により自動認識表示線（８２）が左側に表示され、自動認識表示線（８３）が右側に表示され、該自動認識表示線（８２）と自動認識表示線（８３）の間隔の距離が００２８の演算により該演算結果を数値表示部（３１）に表示した図である。
【図面の簡単な説明】
【００３２】
【図１】  定規と数値表示部を映した画面を示した平面図である。
【図２】  定規と数値表示部を映した画面を示した平面図である。
【図３】  定規映像の画角率と被写体間寸法に関する展開図である。
【図４】  定規と計測空間と数値表示部を映した画面を示した平面図である。
【図５】  拡大した定規と数値表示部を映した画面を示した平面図である。
【図６】  家の壁の面積計測の座標を示した座標図である。
【図７】  画像内の縦直線を自動認識し自動認識表示線を示した平面図である。
【発明を実施するための形態】
【００３３】  結像主点間寸法（ｂ）が２８ミリ相当で、結像面寸法（Ｘ）が３６ミリ相当の結像面と、該結像面に投影される像がそのまま反映される画面（１１）による可視機能を有し、該画面（１１）の中心点方向に焦点が合うよう設定されている撮影装置と、該撮影装置の結像主点間寸法（ｂ）の変化による画角調整が出来る撮影装置と該撮影装置にデジタルズームによる画角調整が可能な撮影装置等を使用し結像面に投影される像がそのまま画面（１１）に反映されないときは、演算結果に比率を掛け補う。
【００３４】  図１は壁のような平面に１ミリ刻みでセンチ数表記の定規（２１）を設置し、該定規（２１）に正対した状態で００１４の撮影装置を３０．８センチ離れた位置、即ち３０８ミリの被写体間寸法（Ｔ）で撮影すると、画面（１１）に映し出されているモニタ部の画面（１１）で、定規（２１）内の１２センチ目の目盛りが画面左端（１２）の部分に、４８センチ目の目盛りが画面右端（１３）の部分に確認でき、画面（１１）に３６センチ分の目盛りが映し出されている。
【００３５】  図１の画面（１１）で映されている定規（２１）の部分が被写体面寸法（Ｙ）になり３６センチ分の目盛りが確認できるが、００１３で導かれたＹ＝Ｘ（Ｔ÷ｂ−１）の式に００３３の結像主点間寸法（ｂ）が２８ミリ相当で、結像面寸法（Ｘ）が３６ミリ相当の結像面、００３４の被写体間寸法（Ｔ）である３０８ミリの各々の数値を式に代入すると３６×（３０８÷２８−１）となり００１８の演算機能により３６０を割り出し、数値表示部（３１）にセンチ表記で３６センチを表示させていて、被写体面寸法（Ｙ）が３６０ミリであることが分かる。
【００３６】  図２は００２３に記された左指標線（４２）から右指標線（４３）までに３０センチ分の目盛りが確認できるが、００２４で導かれたｙ＝ａＸ（Ｔ÷ｂ−１）の式に００３５で表示された数値と００２４で示した画面占有率（ａ）数値を代入し（５÷６）３６×（３０８÷２８−１）となり００１８の演算機能により３００を割り出し、数値表示部（３１）にセンチ表記で３０センチを表示させていて、被写体面内率寸法（ｙ）が３００ミリであることが分かる。
【００３７】  図３のＹ１、Ｙ２、Ｙ３は同じ寸法の定規（２１）で、Ｔ１が１１５５ミリ、Ｔ２が７７０ミリ、Ｔ３が３０８ミリになり、ｗ１が１０５０ミリ、ｗ２が７００ミリ、ｗ３が２８０ミリになり、ｂ１が１０５ミリ、ｂ２が７０ミリ、ｂ３が２８ミリであり定規（２１）と撮影装置の距離が変化しても画角調整により数値表示部（３１）内の定規（２１）映像の寸法が変わらないことを実証する展開図である。
【００３８】  図３は図２の定規（２１）映像を距離と画角率の違う位置から撮影した展開図で、図２の画面全体寸法（ｘ）と計測空間寸法（Ｚ）が平行線でＹ１、Ｙ２、Ｙ３に示されていて、距離変化に画角調整をすることで画面（１１）上の映像比率は変わらず等間隔で映されているのが分かる。
【００３９】  図３での展開はＹ＝ａＸ（Ｔ÷ｂ−１）の式により
ｂ３が２８ミリのケースでは００２４にあり
（５÷６）×３６×（３０８÷２８−１）＝３００
ｂ２が７０ミリのケースで
（５÷６）×３６×（７７０÷７０−１）＝３００
ｂ１が１０５ミリのケースで
（５÷６）×３６×（１１５５÷１０５−１）＝３００
以上同じ３００ミリで立証できる。
【００４０】  図４は、撮影装置内に画面（１１）の大きさと左指標線（４２）から右指標線（４３）までの大きさの比率を判断する機能が具備されていて００２８での画面占有率（ａ）が１／２（２分の１）であることが認識でき、００３６と同様に００２４で導かれたｙ＝ａＸ（Ｔ÷ｂ−１）の式に数値を代入し（１÷２）×３６×（３０８÷２８−１）となり００１８の演算機能により１８０を割り出し、数値表示部（３１）にセンチ表記で１８センチを表示させていて、被写体面内率寸法（ｙ）が１８０ミリであることが分かる。
【００４１】  図５は図２の部分ズームを実施した図で、図２の左指標点（５２）を中心に６倍ズームし画面（１１）の画面縦中央線（１４）から左の画面中央に映るようトリミングし、右指標点（５３）を中心に６倍ズームし画面（１１）の画面縦中央線（１４）から右の画面中央に映るようトリミングした図で数値表示部（３１）の数値は変わらない。
【００４２】  図６は被写体間寸法（Ｔ）情報と結像主点間寸法（ｂ）情報と結像面寸法（Ｘ）情報が把握できる家屋映像で面積計測ソフト実行時の画面（１１）に表示されていて、該家屋の壁（２２）部分の各情報の数値と同じ数値で座標が表示され横がＸ軸で縦がＹ軸で、ＸＹの順に座標表示すると
拡大座標点（７１）          ０．      ０．
拡大座標点（７２）          ０．２５００．
拡大座標点（７３）    １４００．３０００．
座標点（７４）        ２８００．２５００．
座標点（７５）        ２８００．      ０．
以上のようになる。
【００４３】図７は縦の直線を認識する機能が具備されていて、背景と家屋の壁（２２）の境の直線を認識し、壁（２２）の左側に自動認識表示線（８２）が表示され、壁（２２）の右側に自動認識表示線（８３）が表示され自動認識表示線（８２）を左指標線（４２）に置き換え、右側に自動認識表示線（８３）を右指標線（４３）に置き換え００４０のように被写体面内率寸法（ｙ）を割り出し該被写体面内率寸法（ｙ）数値を数値表示部（３１）にメートル表示している。
【実施例】
【００４４】  画面（１１）はカメラのファインダであったり、デジタルカメラの液晶画面であったり、コンピュータのモニタもしくはモニタに映るビュー画面でもあったり可視方法を規制するものではなく数値表示部（３１）も任意による場所に具備されるものである。【００４５】  左指標線（４２）、右指標線（４３）は直線でなくてはいけない訳ではなく、指標として機能するものであり左指標点（５２）と右指標点（５３）が目視可能であれば割愛可能で、該左指標点（５２）と右指標点（５３）も指標として機能するもので標的模様、十字模様、十字模様の中心を削除した物などが有り、コンピュータのマウスのポインターであったり入力方法を規制するものではない。【００４６】  ００２９の位置変更の入力情報はズームスイッチの兼用による位置変更の入力情報であったり、テンキーによる位置変更の入力情報であったり、コンピュータのマウスのポインターでの位置変更の入力情報であったりタッチパネル操作による入力であったり任意により設定するものであり左指標線（４２）と右指標線（４３）が対比するかたちで移動するだけではなく単独で移動させたり任意の位置に、任意の方法で移動可能である。【００４７】  ００１１のハ）により結像面寸法（Ｘ）は結像面の横方向の寸法を基準とするとあるが、縦方向でも可能で任意の方向と該方向を任意の数だけ位置関係を認識することで直線だけではなく多角形の面積、角度なども計測可能で、直線、直線が交差する点など自動認識により認識し該認識位置から多角形の面積、角度を計測できる。【００４８】  左指標点（５２）から右指標点（５３）にかけて水平な横中央線（５４）は該横中央線（５４）上に映る被写体の距離を基準として計測する事になるが、タッチパネル、マウスポインターなどにより左指標点（５２）を始点とし、右指標点（５３）を終点として仮定し、角度を認識する機能を具備することで斜めの直線距離が計測できる。
【符号の説明】
【００４９】      １１              画面
１２              画面左端
１３              画面右端
１４              画面縦中央線
２１              定規
２２              壁
３１              数値表示部
４２、６２        左指標線
４３、６３        右指標線
４４              横指標線
５２              左指標点
５３              右指標点
５４              横中央線
７１、７２、７３  拡大座標点
７４、７５        座標点
８２、８３        自動認識表示線
Ａ                結像面倍率
ａ                画面占有率
ｂ                結像主点間寸法
ｂ１，ｂ２，ｂ３  結像主点間寸法
Ｐ                主点
Ｐ１，Ｐ２，Ｐ３  主点
Ｔ                被写体間寸法
Ｔ１，Ｔ２，Ｔ３  被写体間寸法
ｗ                被写体主点間寸法
ｗ１，ｗ２，ｗ３  被写体主点間寸法
Ｘ                結像面寸法
ＸＡ              拡大画像寸法
Ｘｎ              結像面体
ｘ                画面全体寸法
Ｙ                被写体面寸法
Ｙ１，Ｙ２，Ｙ３  被写体面寸法
ｙ                被写体面内率寸法
Ｚ                計測空間寸法
【図１】
2012002791.tif 000003
【図２】
2012002791.tif 000004
【図３】
2012002791.tif 000005
【図４】
2012002791.tif 000006
【図５】
2012002791.tif 000007
【図６】
2012002791.tif 000008
【図７】
2012002791.tif 000009